(57)【要約】【課題】見通し外伝送のような伝送環境下においても、伝送断の発生確率を低減させる無線伝送装置を提供する。【解決手段】本発明は、移動体２０１，２０２に搭載されており所定の実効輻射電力で無線信号ｃｈ１，ｃｈ２を送信する少なくとも２つの送信装置３０１，３０２と、送信装置３０１，３０２からそれぞれ送信された無線信号ｃｈ１，ｃｈ２を受信する受信装置５０１，５０２とを具備する無線伝送装置に係るものである。送信装置３０１，３０２は、受信装置５０１，５０２において受信される無線信号ｃｈ１，ｃｈ２の受信信号電力が、所要受信電力以上でかつ該所要受信電力を基準とした所定範囲に収まるように、送信する無線信号ｃｈ１，ｃｈ２の実効輻射電力を制御する送信制御手段３１１，３１２を具備する。【選択図】　　　図２
2004072249.tif 000002
【特許請求の範囲】
【請求項１】
移動体に搭載されており所定の実効輻射電力で無線信号を送信する少なくとも２つの送信装置と、該送信装置からそれぞれ送信された無線信号を受信する受信装置とを具備する無線伝送装置であって、
前記送信装置は、前記受信装置において受信される前記無線信号の受信信号電力が、所要受信電力以上でかつ該所要受信電力を基準とした所定範囲に収まるように、送信する無線信号の実効輻射電力を制御する送信制御手段を具備することを特徴とする無線伝送装置。
【請求項２】
移動体に搭載されており所定の実効輻射電力で無線信号を送信する少なくとも２つの送信装置と、該送信装置から送信された無線信号を受信する受信装置とを具備する無線伝送装置であって、
前記送信装置は、前記受信装置において受信される前記無線信号の受信信号電力が所要受信電力以上であり、かつ、前記受信装置において受信される２つの前記無線信号間の受信信号電力強度比が所定値以上となるように、送信する無線信号の実効輻射電力を制御する送信制御手段を具備することを特徴とする無線伝送装置。
【請求項３】
前記送信装置は、
該送信装置の位置情報を測定する位置情報測定手段と、
前記位置情報と無線伝送実績情報とを関連付けて記憶する記憶手段とを具備し、
前記送信制御手段は、前記位置情報と前記無線伝送実績情報とに基づいて、前記送信する無線信号の実効輻射電力を制御することを特徴とする請求項１又は２に記載の無線伝送装置。
【請求項４】
前記受信装置は、
前記送信装置から受信した前記無線信号に応じて、無線伝送路状況を検出する検出手段と、
前記無線伝送路状況に基づいて、前記送信装置において前記送信する無線信号の実効輻射電力を制御するための制御情報を生成する制御情報生成手段とを具備し、
前記送信制御手段は、前記制御情報に基づいて、前記送信する無線信号の実効輻射電力を制御することを特徴とする請求項１乃至３のいずれか一項に記載の無線伝送装置。
【請求項５】
前記送信装置は、前記無線信号を送信するアダプティブアンテナを具備し、
前記送信制御装置は、前記アダプティブアンテナにおいてメインビーム方向及び利得を制御することによって、前記送信する無線信号の実効輻射電力を制御することを特徴とする請求項１乃至４のいずれか一項に記載の無線伝送装置。
【請求項６】
前記送信装置は、前記無線信号を送信するアダプティブアンテナを具備し、
前記送信制御装置は、前記アダプティブアンテナにおいてヌル方向及び利得を制御することによって、前記送信する無線信号の実効輻射電力を制御することを特徴とする請求項１乃至４のいずれか一項に記載の無線伝送装置。
【請求項７】
前記送信装置は、前記無線信号の送信信号電力を制御するための出力減衰機を具備し、
前記送信制御装置は、前記出力減衰機を制御することによって、前記送信する無線信号の実効輻射電力を制御することを特徴とする請求項１乃至４のいずれか一項に記載の無線伝送装置。
【発明の詳細な説明】
【０００１】
【発明の属する技術分野】
本発明は、移動体に搭載されており所定の実効輻射電力で無線信号を送信する少なくとも２つの送信装置と、該送信装置から送信された無線信号を受信する受信装置とを具備する無線伝送装置に関する。
【０００２】
【従来の技術】
従来、アナログＦＭ方式無線伝送回線を介して送信装置と受信装置との間で無線伝送を行う無線伝送装置が知られている。かかる無線伝送装置を用いた無線伝送は、マルチパスによって伝送品質が直接影響を受けるので、受信装置において受信される無線信号の受信信号電力を安定させるためには、見通し内伝送の範囲内で行う必要があるという問題点があった。
【０００３】
かかる問題点を解決するために、受信装置において受信される無線信号の受信信号電力を安定させつつ見通し外伝送を可能とするＯＦＤＭ（Ｏｒｔｈｏｇｏｎａｌ　Ｆｒｅｑｕｅｎｃｙ　Ｄｅｖｉｓｉｏｎ　Ｍｕｌｔｉｐｌｅｘｉｎｇ：直交周波数分割多重）方式のデジタル無線伝送装置が開発された。この結果、ＯＦＤＭ方式デジタル無線伝送回線を介して送信装置と受信装置との間で行われる無線伝送の伝送可能範囲が、飛躍的に大きくなった。
【０００４】
【発明が解決しようとする課題】
一般に、通常のマラソンＴＶ中継番組等では、カメラ及び送信装置を搭載した少なくとも２台の移動中継車（移動体）が用意され、かかる移動中継車に搭乗しているカメラマンが、先頭集団や注目選手等と併走している状態で、当該移動中継車に搭載されたカメラを用いてマラソンＴＶ中継番組用の臨場感のある映像・音声素材を撮影する。
【０００５】
そして、上述のカメラによって撮影された映像・音声素材は、当該移動中継車に搭載された送信装置によって、ＯＦＤＭ方式デジタル無線伝送回線を介して、ビル屋上等の受信ポイント（中継ポイント）に設置された受信装置に伝送され、更に別の無線伝送回線や光ファイバ等の有線伝送回線（固定回線）を介して、スイッチングスタジオ（放送局）へ伝送され、スーパ処理等の加工がなされた後に放送される。
【０００６】
しかしながら、ＯＦＤＭ方式デジタル無線伝送回線に用いることが可能な周波数帯域が限られているため、それぞれの移動中継車に搭載された送信装置と受信装置との間の伝送で用いられるＯＦＤＭ方式デジタル無線伝送回線に隣接周波数のチャネルが割り当てられることがある。
【０００７】
かかる場合、マラソンのレース展開によって、隣接周波数のチャネルが割り当てられた２台の移動中継車が近接したり、受信ポイントに対して同一方向に並んだりした場合、受信ポイントに設置されている受信装置において、過大な隣接妨害波が入力されることによって、各送信装置からの受信信号電力強度比（デシベル）が、ＯＦＤＭ方式デジタル無線伝送回線の変調方式や誤り訂正方式によって定まる所定値（デシベル）以下となる場合では、伝送断が発生するという問題点がある。
【０００８】
また、ＯＤＦＭ方式の無線伝送装置を用いた伝送であっても、見通し外伝送においては、遮蔽損や反射、回折波のために受信信号電力が時々刻々激しく変動し、上述のような隣接妨害波による伝送断が予想外に発生するという問題点があった。
【０００９】
かかる伝送断対策は、特に、時間率要求の大きい放送番組中継用無線伝送回線においては、大きな問題となっていた。
【００１０】
そこで、本発明は、以上の点に鑑みてなされたもので、見通し外伝送のような伝送環境下においても、伝送断の発生確率を低減させる無線伝送装置を提供することを目的とする。
【００１１】
【課題を解決するための手段】
請求項１記載の発明は、移動体に搭載されており所定の実効輻射電力で無線信号を送信する少なくとも２つの送信装置と、該送信装置からそれぞれ送信された無線信号を受信する受信装置とを具備する無線伝送装置であって、前記送信装置が、前記受信装置において受信される前記無線信号の受信信号電力が、所要受信電力以上でかつ該所要受信電力を基準とした所定範囲に収まるように、送信する無線信号の実効輻射電力を制御する送信制御手段を具備することを要旨とする。
【００１２】
ＯＦＤＭ方式等のデジタル無線伝送装置においては、受信信号電力が変調方式や誤り訂正方式によって定まる所要受信電力以上であれば、受信品質は一定である。
【００１３】
したがって、かかる発明によれば、送信ポイント（移動体に搭載された送信装置）及び受信ポイント（受信装置）が特定されている放送番組中継用無線伝送回線において、それぞれの無線伝送回線の伝送特性を維持しながら、不要な電力の伝送を適応的に抑制して隣接チャネルへの妨害を軽減することができ、伝送断の発生確率を低減することができる。
【００１４】
請求項２記載の発明は、移動体に搭載されており所定の実効輻射電力で無線信号を送信する少なくとも２つの送信装置と、該送信装置から送信された無線信号を受信する受信装置とを具備する無線伝送装置であって、前記送信装置が、前記受信装置において受信される前記無線信号の受信信号電力が所要受信電力以上であり、かつ、前記受信装置において受信される２つの前記無線信号間の受信信号電力強度比が所定値以上となるように、送信する無線信号の実効輻射電力を制御する送信制御手段を具備することを要旨とする。
【００１５】
かかる発明によれば、マラソンのレース展開によって、隣接周波数のチャネルが割り当てられた２台の移動体（移動中継車）が近接したり、受信ポイントに対して同一方向に並んだりした場合であっても、各々の受信装置における受信信号電力強度比（デシベル）が、ＯＦＤＭ方式デジタル無線伝送回線の変調方式や誤り訂正方式によって定まる所定値（デシベル）以上となるように、送信装置において送信する無線信号の実効輻射信号電力を抑制するために、隣接チャネル間での混信を克服することができ、伝送断の発生確率を低減することができる。
【００１６】
請求項３記載の発明は、請求項１又は２に記載の発明において、前記送信装置が、該送信装置の位置情報を測定する位置情報測定手段と、前記位置情報と無線伝送実績情報とを関連付けて記憶する記憶手段とを具備し、前記送信制御手段が、前記位置情報と前記無線伝送実績情報とに基づいて、前記送信する無線信号の実効輻射電力を制御することを要旨とする。
【００１７】
かかる発明によれば、送信制御手段が、マラソンＴＶ中継番組等の大規模スポーツＴＶ中継番組において行われた事前伝送テストの結果（無線伝送実績情報）と、スポーツＴＶ中継番組の本番中に取得した移動距離やＧＰＳ等の位置情報とに基づいて、送信する無線信号の実効輻射電力を制御するため、特定の場所で再現性のある伝送断の発生確率を低減することができる。
【００１８】
請求項４記載の発明は、請求項１乃至３のいずれかに記載の発明において、前記受信装置が、前記送信装置から受信した前記無線信号に応じて、無線伝送路状況を検出する検出手段と、前記無線伝送路状況に基づいて、前記送信装置において前記送信する無線信号の実効輻射電力を制御するための制御情報を生成する制御情報生成手段とを具備し、前記送信制御手段が、前記制御情報に基づいて、前記送信する無線信号の実効輻射電力を制御することを要旨とする。
【００１９】
かかる発明によれば、見通し外伝送のように、無線伝送路のマルチパス発生状況が時々刻々変動する場合であっても、マルチパスの遅延量や強度等に応じた適切な伝送マージン量を考慮して、各送信装置の実効輻射電力を制御するための制御情報を生成するため、伝送断の発生確率を低減することができる。
【００２０】
請求項５記載の発明は、請求項１乃至４のいずれかに記載の発明において、前記送信装置が、前記無線信号を送信するアダプティブアンテナを具備し、前記送信制御装置が、前記アダプティブアンテナにおいてメインビーム方向及び利得を制御することによって、前記送信する無線信号の実効輻射電力を制御することを要旨とする。
【００２１】
請求項６記載の発明は、請求項１乃至５のいずれかに記載の発明において、前記送信装置が、前記無線信号を送信するアダプティブアンテナを具備し、前記送信制御装置が、前記アダプティブアンテナにおいてヌル方向及び利得を制御することによって、前記送信する無線信号の実効輻射電力を制御することを要旨とする。
【００２２】
請求項７記載の発明は、請求項１乃至５のいずれかに記載の発明において、前記送信装置が、前記無線信号の送信信号電力を制御するための出力減衰機を具備し、前記送信制御装置が、前記出力減衰機を制御することによって、前記送信する無線信号の実効輻射電力を制御することを容易とする。
【００２３】
なお、請求項１乃至３に係る発明は、受信装置側で生成した制御情報を送信側に伝達するデータや音声等のバックチャネル設備を装備することにより、リアルタイムで、当該送信装置により送信される無線信号の実効輻射電力を制御することを前提としている。
【００２４】
【発明の実施の形態】
（本発明の一実施形態に係る無線伝送装置の構成）
本発明の一実施形態に係る無線伝送装置の構成について図１乃至図４を参照しながら説明する。
【００２５】
図１は、本実施形態に係る無線伝送装置の全体構成図である。また、図２は、本実施形態に係る無線伝送装置を構成する各機能のブロック図を示す図である。
【００２６】
本実施形態に係る無線伝送装置は、図１及び図２に示すように、第１の移動中継車（移動体）２０１及び第２の移動中継車（移動体）２０２にそれぞれ搭載されている第１の送信装置３０１及び第２の送信装置３０２と、例えば、ビルの屋上等の受信ポイント１５に設置されている第１の受信装置５０１及び第２の受信装置５０２と、差分判定回路６０と、実効輻射電力制御回路６１とを具備している。
【００２７】
図１に示すように、第１の送信装置３０１と第１の受信装置５０１との間は、第１の無線伝送回線３１を介して接続されており、第２の送信装置３０２と第２の受信装置５０２との間は、第２の無線伝送回線３２を介して接続されている。ここで、第１の無線伝送回線３１及び第２の無線伝送回線３２は、例えば、ＯＦＤＭ方式のデジタル無線伝送回線によって構成されている。
【００２８】
また、第１の送信装置３０１は、第１の受信装置５０１に対して所定の実効輻射電力で無線信号を送信し、第１の受信装置５０１は、固定回線１を介して受信した信号を放送局１０に送信する。また、第２の送信装置３０２は、第２の受信装置５０２に対して所定の実効輻射電力で無線信号を送信し、第２の受信装置５０２は、固定回線１を介して受信した信号を放送局１０に送信する。
【００２９】
ここで、固定回線１は、第１の無線伝送回線３１及び第２の無線伝送回線３２とは別の無線伝送回線や光ファイバ等の有線伝送回線等によって構成される。また、第１の受信装置５０１及び第２の受信装置５０２は、別個独立のものであってもよいし、一体型のものであってもよい。
【００３０】
また、図２に示すように、第１の受信装置５０１及び第２の受信装置５０２は、差分判定回路６０と実効輻射電力制御回路６１とバックチャネル設備２とを介して、第１の送信装置３０１及び第２の送信装置３０２に接続されている。
【００３１】
第１の送信装置３０１及び第２の送信装置３０２は、それぞれ、送信制御部３１１，３１２と、事前データ記憶部３２１，３２２と、位置情報測定部３３１，３３２と、出力減衰機３４１，３４２と、アダプティブアンテナ３５１，３５２とを具備している。
【００３２】
送信制御部３１は、事前データ記憶部３２と位置情報測定部３３と出力減衰機３４とに接続されており、送信装置３０から無線伝送回線３を介して受信装置５０に送信する無線信号の実効輻射電力を制御する送信制御手段を構成する。
【００３３】
本実施形態において、無線信号の実効輻射電力の制御は、無線信号の出力（利得）及びメインビーム方向（ヌル方向）を制御することによって行われるものとする。
【００３４】
すなわち、送信制御部３１は、バックチャネル設備２を介して実効輻射電力制御回路６１から送信された制御情報や、事前データ記憶部３２に記憶されている事前データや、位置情報測定部３３によって測定された位置情報等に基づいて、送信する無線信号の実効輻射電力を制御する。
【００３５】
具体的には、送信制御部３１は、受信装置５０において受信される無線信号ｃｈ１，ｃｈ２の受信信号電力が、所要受信電力以上でかつ該所要受信電力を基準とした所定範囲に収まるように、送信する無線信号ｃｈ１，ｃｈ２の実効輻射電力を制御する。
【００３６】
ここで、上述の所要受信電力は、無線伝送回線３の変調方式や誤り訂正方式を考慮して、無線伝送回線３を介して安定した伝送が可能なように決定される。また、上述の所定範囲は、無線伝送回線３の変調方式や誤り訂正方式、送信装置３０の性能等を考慮して決定される。
【００３７】
また、送信制御部３１は、受信装置５０において受信される２つの無線信号ｃｈ１，ｃｈ２間の受信信号電力強度比（デシベル）が所定値（デシベル）以上となるように、送信する無線信号ｃｈ１，ｃｈ２の実効輻射電力を制御してもよい。
【００３８】
また、送信制御部３１は、受信装置５０において受信される無線信号の受信信号電力が所要受信電力以上であり、かつ、受信装置５０において受信される２つの無線信号ｃｈ１，ｃｈ２間の受信信号電力強度比（デシベル）が所定値（デシベル）以上となるように、送信する無線信号ｃｈ１，ｃｈ２の実効輻射電力を制御してもよい。
【００３９】
ここで、上述の所定値は、誤差許容範囲のマージンを含むように設定されてもよい。また、２つの無線信号ｃｈ１，ｃｈ２間の受信信号電力強度比は、２つの無線信号ｃｈ１，ｃｈ２間のＤＵ比（Ｄｅｓｉｒｅ　Ｕｎｄｅｓｉｒｅ　Ｒａｔｉｏ）という形で算出されてもよい。
【００４０】
また、送信制御部３１は、アダプティブアンテナ３５において、メインビーム方向５（図３参照）及び利得を制御することによって、または、ヌル方向６（図３参照）及び利得を制御することによって、送信する無線信号ｃｈ１，ｃｈ２の実効輻射電力を制御することができる。
【００４１】
また、送信制御部３１は、出力減衰機３４からの出力（利得）を制御することによって、送信する無線信号ｃｈ１，ｃｈ２の実効輻射電力を制御することができる。
【００４２】
事前データ記憶部３２は、送信制御部３２に接続されており、送信装置３０の位置情報と無線伝送実績情報とを関連付けた事前データを記憶する記憶手段を構成する。
【００４３】
ここで、上述の事前データは、マラソンＴＶ中継番組等の大規模スポーツ中継番組の場合に行われる事前伝送テストによって得られるものであって、送信装置３０が存在する場所を特定可能な「位置情報」と、当該位置情報によって特定される場所における無線伝送実績を示す「無線伝送実績情報」を関連付けるものである。
【００４４】
例えば、事前データ記憶部３２は、「位置情報」によって特定される場所Ａにおいて、突出した建物が存在しているため見通しが悪い環境である旨を示す「無線伝送実績情報」とを関連付ける事前データを記憶する。
【００４５】
ここで、「位置情報」は、ＧＰＳ等によって測定され得る経度・緯度情報であってもよいし、所定の場所からの移動距離情報であってもよい。
【００４６】
位置情報測定部３３は、送信制御部３１に接続されており、送信装置３０の現在の位置情報を測定する位置情報測定手段を構成する。例えば、位置情報測定部３３は、ＧＰＳ等によって構成される。ここで、位置情報測定部３３によって測定される位置情報は、事前データ記憶部３２に記憶されている「位置情報」と同一のタイプのものであることが好ましい。
【００４７】
出力減衰機３４は、送信制御部３１とアダプティブアンテナ３５とに接続されており、送信制御部３１からの指示に応じて、送信装置３０から無線伝送回線３を介して受信装置５０に送信すべきデータの出力（利得）を制御するものである。
【００４８】
アダプティブアンテナ３５は、送信制御部３１と出力減衰機３４とに接続されており、送信制御部３１からの指示に応じて、メインビーム方向５又はヌル方向６（図３参照）及び利得を制御して、出力減衰機３４から送信されたデータを無線信号ｃｈ１，ｃｈ２として無線伝送回線３に送信する。
【００４９】
第１の受信装置５０１及び第２の受信装置５０２は、それぞれ、アンテナ５１１，５１２と、受信部５２１，５２２と、所要受信電力判定回路５３１，５３２と、無線伝送路状況検出回路５４１，５４２とを具備している。
【００５０】
受信部５２は、無線伝送回線３及びアンテナ５１を介して、送信装置３０から送信された無線信号ｃｈ１，ｃｈ２を受信するものである。
【００５１】
所要受信電力判定回路５３は、受信部５２によって受信された無線信号ｃｈ１，ｃｈ２の受信信号電力が、所要受信電力以上でかつ該所要受信電力を基準とした所定範囲に収まっているか否かについて判定するものである。また、所要受信電力判定回路５３は、この判定結果を実効輻射電力制御回路６１に通知する。
【００５２】
無線伝送路状況検出回路５４は、受信部５２によって受信された無線信号ｃｈ１，ｃｈ２の受信信号電力や遅延プロファイルや遅延広がりや遅延スプレッド等の無線伝送路状況を検出するものである。無線伝送路状況検出回路５４は、この無線伝送路状況を実効輻射電力制御回路６１に通知する。
【００５３】
受信信号電力強度比判定回路６０は、受信装置５０の受信部５２によって受信された２つの無線信号ｃｈ１，ｃｈ２間の受信信号電力強度比（デシベル）が所定値（デシベル）以上となっているか否かについて判定するものである。受信信号電力強度比判定回路６０は、この判定結果を実効輻射電力制御回路６１に通知する。
【００５４】
実効輻射電力制御回路６１は、所要受信電力判定回路５３及び／又は受信信号電力強度比判定回路６０から受信した判定結果や、無線伝送路状況検出回路５４６０から受信した無線伝送路状況に基づいて、送信装置３０において送信する無線信号の実効輻射電力を制御するための制御情報を生成する制御情報生成手段を構成する。実効輻射電力制御回路６１は、バックチャネル設備２を介して、かかる制御情報を送信装置３０に送信する。ここで、バックチャネル設備２は、実効輻射電力制御回路６１と送信装置３０との間を無線リンクを介して接続するためのものである。
【００５５】
図４（ａ）は、無線伝送回線３を介して正常伝送が行われている場合の受信装置５０における受信信号電力を示す図であり、図４（ｂ）は、伝送断が発生している場合の受信装置５０における受信信号電力を示す図である。
【００５６】
図４（ｂ）では、２つの無線信号ｃｈ１，ｃｈ２の受信信号電力強度比（デシベル）が所定値（デシベル）以下であるため、無線伝送回線３において伝送断が発生していることを示している。
【００５７】
本発明に係る無線伝送装置の構成は、本実施形態における構成に限定するものでなく、特許請求の範囲に係る無線伝送装置を実現することができる構成であれば、任意の構成を取ることができる。
【００５８】
（本実施形態に係る無線伝送装置の動作）
上記構成を有する無線伝送装置の動作について、図５を参照にして説明する。図５は、本実施形態に係る無線伝送装置において、送信装置３０において、送信する無線信号の実効輻射電力を制御する動作を示すフローチャートである。
【００５９】
図５に示すように、ステップ５００において、各送信装置３０１，３０２の位置情報測定部３３１，３３２が、所定周期で、各送信装置３０１，３０２の位置情報を測定している。
【００６０】
ステップ５０１において、各受信装置５０１，５０２の受信部５２１，５２２が、無線伝送回線３を介して送信装置３０から送信された無線信号ｃｈ１，ｃｈ２を受信する。
【００６１】
ステップ５０２において、各受信装置５０１，５０２の所要受信電力判定部５３１，５３２が、各受信部５２１，５２２によって受信された無線信号ｃｈ１，ｃｈ２の受信信号電力が、所要受信電力以上でかつ該所要受信電力を基準とした所定範囲に収まっているか否かについて判定する。
【００６２】
ステップ５０３において、各受信装置５０１，５０２の無線伝送路状況検出回路５４１，５４２が、各受信部５２１，５２２によって受信された無線信号ｃｈ１，ｃｈ２の受信信号電力や遅延プロファイルや遅延広がりや遅延スプレッド等の無線伝送路状況を検出する。
【００６３】
ステップ５０４において、受信信号電力強度比判定回路６０が、各受信装置５０１，５０２の受信部５２１，５２２によって受信された２つの無線信号ｃｈ１，ｃｈ２間の受信信号電力強度比（デシベル）が所定値（デシベル）以上となっているか否かについて判定する。
【００６４】
ここで、ステップ５０２乃至５０４は、並行して行われてもよいし、所定の順序で行われてもよい。
【００６５】
ステップ５０５において、実効輻射電力制御回路６１が、所要受信電力判定回路５３及び／又は受信信号電力強度比判定回路６０から受信した判定結果や、無線伝送路状況検出回路５４から受信した無線伝送路状況に基づいて、送信装置３０において送信する無線信号の実効輻射電力を制御するための制御情報を生成する。
【００６６】
ステップ５０６において、実効輻射電力制御回路６１が、バックチャネル設備２を介して、かかる制御情報を送信装置３０に送信する。
【００６７】
ステップ５０７において、各送信装置３０１，３０２の送信制御部３１１，３１２は、バックチャネル設備２を介して実効輻射電力制御回路６１から送信された制御情報や、各事前データ記憶部３２１，３２２に記憶されている事前データや、各位置情報測定部３３１，３３２によって測定された位置情報等に基づいて、送信する無線信号の実効輻射電力を制御する。
【００６８】
（本実施形態に係る無線伝送装置の作用・効果）
本実施形態に係る無線伝送装置によれば、送信ポイント（移動体２０に搭載された送信装置３０）及び受信ポイント１５（受信装置５０）が特定されている放送番組中継用無線伝送回線３において、それぞれの無線伝送回線３の伝送特性を維持しながら、不要な電力の伝送を適応的に抑制して隣接チャネルｃｈ１，ｃｈ２への妨害を軽減することができ、伝送断の発生確率を低減することができる。
【００６９】
また、本実施形態に係る無線伝送装置によれば、マラソンのレース展開によって、隣接周波数のチャネルが割り当てられた２台の移動体（移動中継車）２０が近接したり、受信ポイント１５に対して同一方向に並んだりした場合であっても、各々の受信装置５０１，５０２における受信信号電力強度比（デシベル）が、ＯＦＤＭ方式デジタル無線伝送回線３の変調方式や誤り訂正方式によって定まる所定値（デシベル）以上となるように、送信装置３０１，３０２において送信する無線信号ｃｈ１，ｃｈ２の実効輻射信号電力を抑制するために、隣接チャネルｃｈ１，ｃｈ２間での混信を克服することができ、伝送断の発生確率を低減することができる。
【００７０】
また、本実施形態に係る無線伝送装置によれば、送信制御部３１１，３１２が、マラソンＴＶ中継番組等の大規模スポーツＴＶ中継番組において行われた事前伝送テストの結果（無線伝送実績情報）と、スポーツＴＶ中継番組の本番中に取得した移動距離やＧＰＳ等の位置情報とに基づいて、送信する無線信号ｃｈ１，ｃｈ２の実効輻射電力を制御するため、特定の場所で再現性のある伝送断の発生確率を低減することができる。
【００７１】
また、本実施形態に係る無線伝送装置によれば、見通し外伝送のように、受信装置５０１，５０２における受信信号電力が、時々刻々変動する場合であっても、受信装置５０１，５０２に接続されている実効輻射電力制御回路６１によって生成された制御情報を、バックチャネル設備２を介して、各移動体２０１，２０２に搭載された送信装置３０１，３０２に送信することによって、リアルタイムで、当該送信装置３０１，３０２により送信される無線信号ｃｈ１，ｃｈ２の実効輻射電力を制御することができる。
【００７２】
【発明の効果】
本発明によれば、見通し外伝送のような伝送環境下においても、伝送断の発生確率を低減させる無線伝送装置を提供することができる。
【図面の簡単な説明】
【図１】本発明の一実施形態に係る無線伝送装置の全体構成図である。
【図２】本発明の一実施形態に係る無線伝送装置を構成する各機能を説明するための図である。
【図３】本発明の一実施形態に係る無線伝送装置の送信装置のアダプティブアンテナの無線信号の送信方法を説明するための図である。
【図４】本発明の一実施形態に係る無線伝送装置の受信装置における受信信号電力を示す図である。
【図５】本発明の一実施形態に係る無線伝送装置の動作を示すフローチャートである。
【符号の説明】
１…固定回線
２…バックチャネル設備
３…無線伝送回線
５…メインビーム
６…ヌル方向
１０…放送局
１５…受信ポイント
２０…移動中継車
３０…送信装置
３１…送信制御部
３２…事前データ記憶部
３３…位置情報測定部
３４…出力減衰機
３５…アダプティブアンテナ
５０…受信装置
５１…アンテナ
５２…受信部
５３…所要受信電力判定回路
５４…無線伝送路状況検出回路
６０…受信信号電力強度比判定回路
６１…実効輻射電力制御回路
【図１】
2004072249.tif 000003
【図２】
2004072249.tif 000004
【図３】
2004072249.tif 000005
【図４】
2004072249.tif 000006
【図５】
2004072249.tif 000007